(57)【要約】【課題】ケース内に収容された円盤状の情報記録ディスクの中心にセンタコアが固着されてなるディスクカートリッジにおいて、ドライブスピンドルに対する必要なチャッキング力を確保しながらセンタコアの小径化を図る。【解決手段】センタコア２４，３４，４４の中央部を密実にし、かつセンタコア２４，３４，４４の底面中央部に、ドライブスピンドル３０，４０，５０に対するセンタリング手段としての凸部２５，３５，４５を設ける。【選択図】　　　　　図１
2004145924.tif 000002
【特許請求の範囲】
【請求項１】
ケース内に収容された円盤状の情報記録ディスクの中心にセンタコアが固着されてなるディスクカートリッジにおいて、
前記センタコアの中央部が密実であることを特徴とするディスクカートリッジ。
【請求項２】
前記センタコアの底面中央部に、ドライブ装置のスピンドルに対するセンタリング手段としての凸部または凹部が設けられていることを特徴とする請求項１記載のディスクカートリッジ。
【請求項３】
前記センタコアの底面の外周寄りに、ドライブ装置のスピンドルに対するセンタリング手段としての凸部または凹部が設けられていることを特徴とする請求項１記載のディスクカートリッジ。
【請求項４】
前記センタコアの厚さが０．５ｍｍ以上１．８ｍｍ以下の厚さを有することを特徴とする請求項２または３記載のディスクカートリッジ。
【発明の詳細な説明】
【０００１】
【発明の属する技術分野】
本発明は、ディスクカートリッジに関し、特に、円盤状の情報記録ディスクの中心にセンタコアを固着してなるディスクカートリッジに関するものである。
【０００２】
【従来の技術】
従来より最も広く使用されているディスクカートリッジは、３．５インチ（約８９ｍｍ）フロッピー（Ｒ）ディスクカートリッジである。このディスクカートリッジ１は、図３（ａ）の概略的断面図に示すように、四角形の扁平なケース２内に円盤状の可撓性ディスク３が収容され、このディスク３の中心にセンタコア４が固着されている。ケース２のディスク３との対向面には図示しないライナが貼られている。
【０００３】
センタコア４は、鉄系金属素材からなり、ディスク３を支持するフランジ４ａと中心孔５とを備えている。そして、このディスクカートリッジ１がドライブ装置に装填された場合、上記中心孔５およびこの中心孔５とは別個に設けられた図示しない孔を用いて、ドライブ装置のスピンドルに対するセンタリングのための位置決めを行なった状態で磁気吸着によりドライブスピンドルチャッキングされるように構成されている。
【０００４】
図３（ｂ）は、デジタルカメラ等のモバイル機器に記録媒体として用いられている「ｃｌｉｋ！（Ｒ）」と呼ばれる小型の磁気ディスクカートリッジの概略的断面図である。この種のディスクカートリッジには、特許文献１に記載されたものがあるが、図３（ｂ）のディスクカートリッジ１１は、幅５０ｍｍ、奥行き５５ｍｍ、厚さ１．９５ｍｍの扁平なケース１２内に、４０ＭＢの記憶容量を有する直径１．８インチ（４５．７ｍｍ）の可撓性ディスク１３が収容されている。ディスク１３の中心部には、中心孔１５を備えた鉄系金属素材からなるセンタコア１４が固着されている。ディスク１３は、ケース１２内に回転可能に設けられたロータリーシャッタ１６によって覆われている。ロータリーシャッタ１６のディスク１３との対向面には図示しないライナが貼られている。
【０００５】
図４は、図３（ｂ）のディスクカートリッジ１１のセンタコア１４をドライブスピンドル２０とともに示す拡大断面図である。
【０００６】
センタコア１４の平坦な上面１４ａは磁気ディスク１３の貼付け面とされ、平坦な底面１４ｂと、この底面１４ｂの中央部から突出する円筒状凸部１７の周囲のテーパー面１７ａとがドライブスピンドル２０に対する係合面を形成している。
【０００７】
一方、ドライブスピンドル２０は、芯となるスピンドル本体２１と、センタコア１４をスピンドル本体２１に磁気吸着させるためにスピンドル本体２１を取り囲んで設けられた円筒状マグネット２２とを備え、スピンドル本体２１の環状の上面２１ａがセンタコア１４の底面１４ｂを支持してセンタコア１４を水平に保ち、かつスピンドル本体２１の中央の凹部のテーパー面２１ｂがセンタコア１４の円筒状凸部１７のテーパー面１７ａに係合して、ドライブスピンドル２０に対するセンタコア１４のセンタリングがなされ、この状態でセンタコア１４が磁気吸着によりドライブスピンドル２０にチャッキングされるように構成されている。
【０００８】
【特許文献１】米国特許第６２５６１６８号公報
【０００９】
【発明が解決しようとする課題】
ところで、上述のような構成を有するセンタコアを備えた従来のディスクカートリッジにおいては、ドライブスピンドルに対する位置決め精度が重視され、センタコアの大きさについては、さほど意識されて来なかった。
【００１０】
しかしながら、近年、ディスクサイズの小径化と高容量化が求められているため、ディスクのアクセス可能領域、すなわち情報書込み領域を増大させることが望まれている。この要求に対しては、センタコアをできる限り小径にすることが有効であるが、上述した従来のディスクカートリッジ１，１１のセンタコア４，１４はいずれも中心孔５，１５を備えているために、小径化が困難であった。
【００１１】
また、センタコアが小径化されるのに伴い、磁気吸着によるチャッキング力が低下するという問題もあった。
【００１２】
上述の事情に鑑み、本発明は、ドライブスピンドルに対する必要なチャッキング力を確保しながらセンタコアの小径化を図ることを可能にしたディスクカートリッジを提供することを目的とするものである。
【００１３】
【課題を解決するための手段】
本発明のディスクカートリッジは、ケース内に収容された円盤状の情報記録ディスクの中心にセンタコアが固着されてなるディスクカートリッジにおいて、上記センタコアの中央部が密実であることを特徴とするものである。ここで、中央部が密実であるとは、中心孔を有さないという意味であり、中央部のみでなく、センタコア全体が空洞を有していないことを意味するものである。
【００１４】
上記センタコアの底面中央部または外周寄りに、ドライブ装置のスピンドルに対するセンタリング手段としての凸部または凹部が設けられていることが好ましい。
【００１５】
上記センタコアは０．５ｍｍ以上１．８ｍｍ以下の厚さを有することが好ましい。
【００１６】
【発明の効果】
本発明によれば、センタコアの中央部が密実なために、センタコアを小径化しても必要なチャッキング力を確保することができる。そして、センタコアの小径化により、ディスクのアクセス可能領域を増大させることができるので、高容量化が可能になり、同一容量であればディスクをより小径化して、より小型のディスクカートリッジを提供することができる。
【００１７】
【発明の実施の形態】
以下、図面を参照して本発明の実施の形態を説明する。
【００１８】
図１（ａ）は、本発明によるディスクカートリッジの第１の実施の形態のセンタコア２４をドライブスピンドル３０とともに示す拡大断面図である。
【００１９】
ディスク１３の貼付け面としての平坦な上面２４ａを備えたセンタコア２４は、
中心孔を有さずに密実に形成され、平坦な底面２４ｂの中央部には半球面２５ａを備えた凸部２５が形成されている。センタコア２４の厚さ、すなわち上面２４ａと底面２４ｂとの間の距離は、０．５ｍｍ以上、１．８ｍｍ以下に設定されている。以下の実施の形態においても同様である。
【００２０】
ドライブスピンドル３０は、芯となるスピンドル本体３１と、センタコア２４をスピンドル本体３１に磁気吸着させるためにスピンドル本体３１を取り囲んで設けられた円筒状のマグネット３２とを備え、スピンドル本体３１の上面３１ａがセンタコア２４の底面２４ｂを支持してセンタコア２４を水平に保っている。スピンドル本体３１の上面３１ａの中央には、センタコア２４の凸部２５と係合してセンタコア２４をドライブスピンドル３０に対してセンタリングする凹部３１ｂが形成されている。
【００２１】
本実施の形態によれば、センタコア２４の中央部が密実なために、センタコア２４を小径化しても必要なチャッキング力を確保することができる。そして、センタコア２４の小径化により、ディスク１３のアクセス可能領域を増大させることができるので、高容量化が可能になり、同一容量であればディスク１３をより小径化して、より小型のディスクカートリッジを提供することができる。
【００２２】
図１（ｂ）は、本発明によるディスクカートリッジの第２の実施の形態のセンタコア３４をドライブスピンドル４０とともに示す拡大断面図である。
【００２３】
ディスク１３の貼付け面としての平坦な上面３４ａを備えたセンタコア３４は、
中心孔を有さずに密実に形成され、平坦な底面３４ｂの中央部には、下方に向かって径が細くなるテーパー面３５ａを備えた凸部３５が形成されている。
【００２４】
ドライブスピンドル４０は、芯となる内側スピンドル本体４１と、内側スピンドル本体４１を取り囲んで設けられた円筒状のマグネット４２と、このマグネット４２を取り囲む外側スピンドル本体４３とを備え、外側スピンドル本体４３の上面４３ａがセンタコア３４の底面３４ｂを支持してセンタコア３４を水平に保っている。内側スピンドル本体４１の上面４１ａの中央には、センタコア３４の凸部３５のテーパー面３５ａと係合して、センタコア３４をドライブスピンドル４０に対してセンタリングする凹部４１ｂが形成されている。
【００２５】
本実施の形態では、上述した第１の実施の形態と同様の効果を有することに加えて、センタコア３４の底面３４ｂがその外周部において外側スピンドル本体４３の上面４３ａ上に支持されていることによる、より正確な水平支持が可能になる利点がある。
【００２６】
次の図１（ｃ）は、本発明によるディスクカートリッジの第３の実施の形態のセンタコア４４をドライブスピンドル５０とともに示す拡大断面図である。
【００２７】
ディスク１３の貼付け面としての平坦な上面４４ａを備えたセンタコア４４は、
中心孔を有さずに密実に形成され、平坦な底面４４ｂには、環状の突壁４５が同心的に突設され、突壁４５の外周面が下方に向かって径が細くなるテーパー面４５ａを形成している。
【００２８】
一方、ドライブスピンドル５０は、円筒状のスピンドル本体５１と、このスピンドル本体５１の中心孔に嵌挿されたマグネット５２とを備え、スピンドル本体５１の上面５１ａがセンタコア４４の底面４４ｂを支持してセンタコア４４を水平に保っている。スピンドル本体５１の内周面の上端部には、センタコア４４の突壁４５のテーパー面４５ａと係合して、センタコア４４をドライブスピンドル５０に対してセンタリングするテーパー面５１ｂが形成されている。
【００２９】
本実施の形態においても、センタコア４４の底面４４ｂがその外周部においてスピンドル本体５１の上面５１ａ上に支持されていることによる、より正確な水平支持が可能になる利点がある。
【００３０】
以上説明した本発明の第１〜第３の実施の形態は、ドライブスピンドルに対するセンタリング手段として、センタコアの底面に凸部が設けられている場合であるが、以下に述べる図２（ａ），（ｂ）に示された実施の形態は、ドライブスピンドルに対するセンタリング手段として、センタコアの底面に凹部が設けられている場合である。
【００３１】
図２（ａ）は、本発明によるディスクカートリッジの第４の実施の形態のセンタコア５４をドライブスピンドル６０とともに示す拡大断面図である。
【００３２】
ディスク１３の貼付け面としての平坦な上面５４ａを備えたセンタコア５４は、
中心孔を有さずに密実に形成され、平坦な底面５４ｂの中央部には半球面を備えた凹部５５が形成されている。
【００３３】
ドライブスピンドル６０は、芯となるスピンドル本体６１と、センタコア５４をスピンドル本体６１上に磁気吸着させるためにスピンドル本体６１を取り囲んで設けられた円筒状のマグネット６２とを備え、スピンドル本体６１の上面６１ａがセンタコア５４の底面５４ｂを支持してセンタコア５４を水平に保っている。スピンドル本体６１の上面６１ａの中央には、センタコア５４の凹部５５と係合して、センタコア５４をドライブスピンドル６０に対してセンタリングする凸部６３が形成されている。
【００３４】
次の図２（ｂ）は、本発明によるディスクカートリッジの第５の実施の形態のセンタコア６４をドライブスピンドル７０とともに示す拡大断面図である。
【００３５】
ディスク１３の貼付け面としての平坦な上面６４ａを備えたセンタコア６４は、中心孔を有さずに密実に形成され、平坦な底面６４ｂには、環状の溝６５が同心的に形成されている。
【００３６】
一方、ドライブスピンドル７０は、円筒状のスピンドル本体７１と、このスピンドル本体７１の中心孔に嵌挿されたマグネット７２とを備え、スピンドル本体７１の上面７１ａがセンタコア６４の底面６４ｂを支持してセンタコア６４を水平に保っている。スピンドル本体７１の上面７１ａの中心孔の周囲には、センタコア６４の溝６５と係合して、センタコア６４をドライブスピンドル７０に対してセンタリングする突壁７３が形成されている。
【００３７】
以上説明した図２（ａ），（ｂ）に示す実施の形態は、図１（ａ）、（ｃ）に示す実施の形態と同様の効果を有することに加えて、センタコア５４，６４の底面に突起物が無いことによる、ドライブ装置への挿入がより平滑になる利点もある。
【図面の簡単な説明】
【図１】図１（ａ）〜（ｃ）は、本発明によるディスクカートリッジの第１〜第３の実施の形態が備えているセンタコアをドライブスピンドルとともに示す拡大断面図
【図２】図２（ａ），（ｂ）は、本発明によるディスクカートリッジの第４，第５の実施の形態が備えているセンタコアをドライブスピンドルとともに示す拡大断面図
【図３】図３（ａ），（ｂ）は、従来のディスクカートリッジの概略的断面図
【図４】図３（ｂ）のディスクカートリッジが備えているセンタコアをドライブスピンドルとともに示す拡大断面図
【符号の説明】
１３　　ディスク
１４，２４，３４，４４，５４，６４　　センタコア
２５，３５　　凸部
２０，３０，４０，５０，６０，７０　　ドライブスピンドル
２１，３１，４１，５１，６１，７１　　スピンドル本体
２２，３２，４２，５２，６２，７２　　マグネット
５５，６５　　凹部
【図１】
2004145924.tif 000003
【図２】
2004145924.tif 000004
【図３】
2004145924.tif 000005
【図４】
2004145924.tif 000006